(57)【特許請求の範囲】
【請求項１】
設定優先順序でコンピュータプログラムを実行する方法において、この方法によると、コンピュータ装置中にあって、データ保存媒体、システムメモリ、基本入出力システム、複数の装置選択キー、複数のマルチメディア再生装置及び音響装置が接続され、該データ保存媒体中に第１オペレーションシステム及び第２オペレーションシステム、複数の装置駆動プログラム、複数の装置アプリケーションプログラム、及びプログラム実行優先順序テーブルが保存され、該プログラム実行優先順序テーブル中に各装置選択キーに対応するマルチメディア再生装置及び該マルチメディア再生装置を実行する時の関係装置駆動プログラム及びアプリケーションプログラムの優先順序が設定され、この方法は、
（ａ）各装置選択キーの被操作状態を検出するステップ、
（ｂ）任意の装置選択キーが操作された時、該コンピュータ装置が第２オペレーションシステムで起動するステップ、
（ｃ）該コンピュータ装置が第２オペレーションシステムの起動の後、データ保存媒体中よりプログラム実行優先順序テーブルをシステムメモリ内のランダムアクセス可能領域にロードするステップ、
（ｄ）該プログラム実行優先順序テーブル中で操作された装置選択キーに対応するマルチメディア再生装置を探すステップ、
（ｅ）該プログラム実行優先順序テーブル中よりこのマルチメディア再生装置に対応する装置駆動プログラム及びアプリケーションプログラムを探すステップ、
（ｆ）該プログラム実行優先順序テーブル中に設定されたマルチメディア再生装置に対応する装置駆動プログラム及びアプリケーションプログラムの優先順序により、順に該装置駆動プログラム及びアプリケーションプログラムをシステムメモリ内のランダムアクセス可能領域にロード及び実行するステップ、
を包含したことを特徴とする、設定優先順序でコンピュータプログラムを実行する方法。
【請求項２】
請求項１記載の設定優先順序でコンピュータプログラムを実行する方法において、該プログラム実行優先順序テーブル中に設定されたマルチメディア再生装置はオーディオＣＤ読み取り装置を包含し、その設定する関係装置駆動プログラム及びアプリケーションプログラム優先順序は順に、音響装置駆動プログラム、オーディオＣＤ装置駆動プログラム、オーディオＣＤ装置再生アプリケーションプログラムとされることを特徴とする、設定優先順序でコンピュータプログラムを実行する方法。
【請求項３】
請求項１又は２記載の設定優先順序でコンピュータプログラムを実行する方法において、該プログラム実行優先順序テーブル中に設定されたマルチメディア再生装置はデジタル音楽読み取り装置を更に包含し、その設定する関係装置駆動プログラム及びアプリケーションプログラム優先順序は順に、音響装置駆動プログラム、デジタル音楽装置駆動プログラム、デジタル音楽読み取り装置再生アプリケーションプログラムとされることを特徴とする、設定優先順序でコンピュータプログラムを実行する方法。
【請求項４】
請求項１乃至３の何れか１項に記載の設定優先順序でコンピュータプログラムを実行する方法において、該プログラム実行優先順序テーブル中に設定されたマルチメディア再生装置はオーディオビデオディスク読み取り装置を包含し、その設定する関係装置駆動プログラム及びアプリケーションプログラム優先順序は順に、音響装置駆動プログラム、オーディオビデオディスク読み取り装置駆動プログラム、オーディオビデオディスク再生アプリケーションプログラムとされることを特徴とする、設定優先順序でコンピュータプログラムを実行する方法。
【請求項５】
請求項１乃至４の何れか１項に記載の設定優先順序でコンピュータプログラムを実行する方法において、該プログラム実行優先順序テーブル中に設定されたマルチメディア再生装置はテレビ信号受信装置、及びテレビチューナーを更に包含し、その設定する関係装置駆動プログラム及びアプリケーションプログラム優先順序は順に、音響装置駆動プログラム、ディスプレイ装置駆動プログラム、テレビ信号受信装置駆動プログラム、テレビ放送アプリケーションプログラムとされることを特徴とする、設定優先順序でコンピュータプログラムを実行する方法。
【発明の詳細な説明】
【技術分野】
【０００１】
本発明はコンピュータ装置のプログラム起動実行方法に係り、特に、設定優先順序でコンピュータプログラムを実行する方法に関する。
【背景技術】
【０００２】
パーソナルコンピュータシステムと家電システムはハードウエア設計上の違いにより、パーソナルコンピュータシステムの起動の時間は、家電システムのように急速ではない。既存のマルチメディアオーディオビデオ再生システムはそのほとんどが、単純にオーディオビデオ再生装置或いは家電設備をコンピュータインタフェースを介してコンピュータシステムに接続したものである。もし操作者がこのマルチメディア再生機能或いは家電設備の機能を実行したいならば、まずコンピュータシステムを起動し、並びにコンピュータシステムに基本入出力システムプログラムの起動、システムセルフテスト、周辺設備検出及び駆動、オペレーションシステム起動、システムコンフィギュレーション設定、などの全てのプロセスの後でなければ、該マルチメディアオーディオビデオ再生機能を実行できない。
【発明の開示】
【発明が解決しようとする課題】
【０００３】
上述の欠点のために、コンピュータをベースとするマルチメディアオーディオビデオ再生システムは一般の家電設備のように急速起動操作が行えない。もし使用者がパーソナルコンピュータを使用する時に、家電を使用するように各アプリケーションプログラムを急速起動させられれば、大幅にパーソナルコンピュータの付加価値が増す。
【０００４】
一般の使用者はパーソナルコンピュータを使用する時、パーソナルコンピュータの全ての機能を使用することはなく、通常はそのなかの一種類の機能、例えばパーソナルコンピュータで音楽を聴く、テレビを観る、或いは映画を観る等の機能しか使用しない。ただし、通常、コンピュータ起動後に、システムは全てのソフトウエアとハードウエアをロードし、そのうち一種類の機能を使用するだけでも、システムはコンピュータの全てのハードウエアを初期化しなければ使用できない。
【０００５】
このため、本発明の主要な目的は、一種のマルチメディア再生システムの再生起動方法を提供し、本発明の制御により、使用者は実行したい指定アプリケーションプログラムに対して、ただそれに対応するハードウエアを初期化し、並びに設定優先順序でコンピュータプログラムを実行できる。
【０００６】
本発明の別の目的は、一種の設定優先順序でコンピュータプログラムを実行する方法を提供することにあり、それによると、コンピュータ装置のデータ保存媒体中に設定優先順序テーブルを保存することでマルチメディア再生装置の関係装置駆動プログラム及びアプリケーションプログラムを起動する。
【０００７】
本発明のさらに別の目的は、一種のコンピュータ機能或いはマルチメディア再生機能を選択起動できるコンピュータプログラム起動方法を提供することにあり、それによると、使用者は、コンピュータ装置の正常起動時に、コンピュータ装置がハードディスク中の第１オペレーションシステムを起動のオペレーションシステムとして選択でき、使用者が任意の機能選択キーを押すとき、コンピュータ装置はハードディスク中の第２オペレーションシステムを起動のオペレーションシステムとして選択し、並びに設定優先順序でマルチメディア再生装置の関係装置駆動プログラム及びアプリケーションプログラムを実行し、これにより選択された選択装置を急速実行できる。
【０００８】
本発明が周知の技術の問題を解決するために採用する技術手段は、コンピュータ装置のデータ保存媒体中に複数の装置駆動プログラム、複数の装置アプリケーションプログラム、及び、プログラム実行優先順序テーブルを保存し、そのうち、該プログラム実行優先順序テーブル中に各装置選択キーに対応するマルチメディア再生装置及び該マルチメディア再生装置を実行する時の関係装置駆動プログラム及びアプリケーションプログラムの優先順序を設定する、というものである。各装置選択キーが操作される時、該コンピュータ装置はプログラム実行優先順序テーブル中に設定されたマルチメディア再生装置の対応する各装置駆動プログラム及びアプリケーションプログラムの優先順序により、順に該装置駆動プログラム及びアプリケーションプログラムを実行する。
【課題を解決するための手段】
【０００９】
本願の第１発明は、設定優先順序でコンピュータプログラムを実行する方法において、この方法によると、コンピュータ装置中にあって、データ保存媒体、システムメモリ、基本入出力システム、複数の装置選択キー、複数のマルチメディア再生装置及び音響装置が接続され、該データ保存媒体中に第１オペレーションシステム及び第２オペレーションシステム、複数の装置駆動プログラム、複数の装置アプリケーションプログラム、及びプログラム実行優先順序テーブルが保存され、該プログラム実行優先順序テーブル中に各装置選択キーに対応するマルチメディア再生装置及び該マルチメディア再生装置を実行する時の関係装置駆動プログラム及びアプリケーションプログラムの優先順序が設定され、この方法は、
（ａ）各装置選択キーの被操作状態を検出するステップ、
（ｂ）任意の装置選択キーが操作された時、該コンピュータ装置が第２オペレーションシステムで起動するステップ、
（ｃ）該コンピュータ装置が第２オペレーションシステムの起動の後、データ保存媒体中よりプログラム実行優先順序テーブルをシステムメモリ内のランダムアクセス可能領域にロードするステップ、
（ｄ）該プログラム実行優先順序テーブル中で操作された装置選択キーに対応するマルチメディア再生装置を探すステップ、
（ｅ）該プログラム実行優先順序テーブル中よりこのマルチメディア再生装置に対応する装置駆動プログラム及びアプリケーションプログラムを探すステップ、
（ｆ）該プログラム実行優先順序テーブル中に設定されたマルチメディア再生装置に対応する装置駆動プログラム及びアプリケーションプログラムの優先順序により、順に該装置駆動プログラム及びアプリケーションプログラムをシステムメモリ内のランダムアクセス可能領域にロード及び実行するステップ、
を包含したことを特徴とする、設定優先順序でコンピュータプログラムを実行する方法としている。
本願の第２発明は、前記第１発明記載の設定優先順序でコンピュータプログラムを実行する方法において、該プログラム実行優先順序テーブル中に設定されたマルチメディア再生装置はオーディオＣＤ読み取り装置を包含し、その設定する関係装置駆動プログラム及びアプリケーションプログラム優先順序は順に、音響装置駆動プログラム、オーディオＣＤ装置駆動プログラム、オーディオＣＤ装置再生アプリケーションプログラムとされることを特徴とする、設定優先順序でコンピュータプログラムを実行する方法としている。
本願の第３発明は、前記第１又は第２発明記載の設定優先順序でコンピュータプログラムを実行する方法において、該プログラム実行優先順序テーブル中に設定されたマルチメディア再生装置はデジタル音楽読み取り装置を更に包含し、その設定する関係装置駆動プログラム及びアプリケーションプログラム優先順序は順に、音響装置駆動プログラム、デジタル音楽装置駆動プログラム、デジタル音楽読み取り装置再生アプリケーションプログラムとされることを特徴とする、設定優先順序でコンピュータプログラムを実行する方法としている。
本願の第４発明は、前記第１乃至第３発明のうち何れかの発明に記載の設定優先順序でコンピュータプログラムを実行する方法において、該プログラム実行優先順序テーブル中に設定されたマルチメディア再生装置はオーディオビデオディスク読み取り装置を包含し、その設定する関係装置駆動プログラム及びアプリケーションプログラム優先順序は順に、音響装置駆動プログラム、オーディオビデオディスク読み取り装置駆動プログラム、オーディオビデオディスク再生アプリケーションプログラムとされることを特徴とする、設定優先順序でコンピュータプログラムを実行する方法としている。
本願の第５発明は、前記第１乃至第４発明のうち何れかの発明に記載の設定優先順序でコンピュータプログラムを実行する方法において、該プログラム実行優先順序テーブル中に設定されたマルチメディア再生装置はテレビ信号受信装置、及びテレビチューナーを更に包含し、その設定する関係装置駆動プログラム及びアプリケーションプログラム優先順序は順に、音響装置駆動プログラム、ディスプレイ装置駆動プログラム、テレビ信号受信装置駆動プログラム、テレビ放送アプリケーションプログラムとされることを特徴とする、設定優先順序でコンピュータプログラムを実行する方法としている。
【発明の効果】
【００１０】
本発明の制御により、多種類の機能選択項目を具えたマルチメディア再生システム（例えばオーディオＣＤ、オーディオビデオディスク、デジタル音楽、テレビを包含する）にあって、異なる形態のマルチメディア再生要求により、各装置のプログラム優先順序を設定し、プログラム実行時に、高い優先順序の必要プログラムをロード並びに実行し、その後、さらに該プログラムを実行すると同時に、その他のプログラムを優先順序により続けてロード及び実行し、ゆえに使用者が装置起動時に急速な実行速度を感じることができる。
【００１１】
本発明が採用する具体的方法及び制御フローは、以下に実施例及び図面により詳細に説明する。
【発明を実施するための最良の形態】
【００１２】
図１は本発明の第１実施例のシステム機能ブロック図である。本発明のコンピュータ装置１００は、ＣＰＵ１１、第１バスブリッジ１２、第２バスブリッジ１３を包含し、そのうち、該ＣＰＵ１１はシステムバスを介して第１バスブリッジ１２に接続され、第１バスブリッジ１２にシステムメモリ１４が接続され、並びにディスプレイインタフェース１５０を介してディスプレイ１５が接続されている。
【００１３】
第２バスブリッジ１３に基本入出力システムメモリ１６が接続されている。該基本入出力システムメモリ１６中にはコンピュータ装置の起動時に必要な基本入出力システムプログラム１６１（ＢＩＯＳプログラム）及びＰＯＳＴ（パワーオンセルフテスト）プログラム１６２が保存されている。
【００１４】
第２バスブリッジ１３はバスを介してハードディスクインタフェース１７０に接続され、さらにハードディスクインタフェース１７０によりハードディスク１７に接続される。該ハードディスク１７は本発明中のデータ保存媒体とされる。
【００１５】
該ハードディスク１７は第１セクション１７１と第２セクション１７２に分割され、該第１セクション１７１中に第１オペレーションシステム１７１ａ、例えば現在広く使用されているＷｉｎｄｏｗｓ（登録商標）オペレーションシステム及びその他の第１オペレーションシステム１７１ａ環境下で操作可能な各種装置駆動プログラム１７１ｂ及びアプリケーションプログラム１７１ｃがインストールされている。第２セクション１７２には第２オペレーションシステム１７２ａ、例えば、Ｌｉｎｕｘ（登録商標）オペレーションシステム（Ｌｉｎｕｘ（登録商標）−ｂａｓｅｄ Ｏｐｅｒａｔｉｎｇ Ｓｙｓｔｅｍ）、或いはその他の類型のオペレーションシステム、例えばＴｉｎｙ Ｗｉｎｄｏｗｓ（登録商標）オペレーションシステム、或いはエンベッド式オペレーションシステム（Ｅｍｂｅｄｄｅｄ Ｏｐｅｒａｔｉｎｇ Ｓｙｓｔｅｍ）が保存されている。該第２セクション１７２中に各種の異なる装置駆動プログラム１８及び該第２オペレーションシステム１７２ａ環境下で操作可能な各種アプリケーションプログラム１９が保存されている。
【００１６】
図２も参照されたい。それは、図１中の第２セクション１７２中に保存された複数の装置駆動プログラム１８及びアプリケーションプログラム１９の詳しい内容表示図であり、それは装置駆動プログラム１８が複数の装置駆動プログラム、例えば、音響装置駆動プログラム１８１、ディスプレイ装置駆動プログラム１８２、オーディオＣＤ駆動プログラム１８３、デジタル音楽装置駆動プログラム１８４、オーディオビデオディスク読み取り装置駆動プログラム１８５、テレビ信号受信装置駆動プログラム１８６を包含しうる。該アプリケーションプログラム１９は、複数のアプリケーションプログラム、例えば、オーディオＣＤ装置再生アプリケーションプログラム１９１、デジタル音楽装置再生アプリケーションプログラム１９２、オーディオビデオディスク装置再生アプリケーションプログラム１９３、テレビ放送アプリケーションプログラム１９４を包含しうる。
【００１７】
該コンピュータ装置１００の第２バスブリッジ１３は、バス１３０を介してマルチメディア再生装置３に接続されている。図３はマルチメディア再生装置３のさらなる装置内容が示される。本発明の実施例中、該マルチメディア再生装置３は、オーディオＣＤ読み取り装置３ａ、デジタル音楽読み取り装置３ｂ、オーディオビデオディスク読み取り装置３ｃ、テレビ信号受信装置３ｄを包含し、それらはそれぞれオーディオＣＤインタフェース回路３０ａ、テジタル音楽インタフェース回路３０ｂ、オーディオビデオディスクインタフェース回路３０ｃ、テレビインタフェース回路３０ｄでバス１３０に接続されている。
【００１８】
該コンピュータ装置１００の第２バスブリッジ１３はバス１３０を介してサウンドインタフェース回路４０に接続され、さらにサウンドインタフェース回路４０を介して音響装置４に接続されている。該コンピュータ装置１００の第２バスブリッジ１３はまたバス１３０を介してテレビチューナー５に接続されている。
【００１９】
該ハードディスク１７中にプログラム実行優先順序テーブル１７３が保存されている。図４には該プログラム実行優先順序テーブル１７３のさらなる内容が表示されている。該プログラム実行優先順序テーブル１７３は、装置選択キーフィールド、装置選択キーコードフィールド、装置選択キー対応装置フィールド、及び該装置実行時の関係装置駆動プログラム及びアプリケーションプログラムの優先順序フィールドが包含される。
【００２０】
該コンピュータ装置１００の第２バスブリッジ１３はバス１３０を介して装置選択キー検出インタフェース回路２０に接続され、更に該装置選択キー検出インタフェース回路２０を介して装置選択キーセット２に接続されている。該装置選択キーセット２は複数の装置選択キー２１、２２、２３、２４を包含し、例えば該装置選択キー２１、２２、２３、２４はオーディオＣＤ、デジタル音楽、オーディオビデオディスク、或いはテレビの再生機能実行が割り当てられ、ゆえに使用者の操作により、オーディオＣＤ、デジタル音楽、オーディオビデオディスク、或いはテレビの再生装置を起動できる。
【００２１】
該装置選択キー２１、２２、２３、２４は設定オーディオビデオ再生装置動作のインスタントプレイのコントロールキーと設定される。該装置選択キー２１、２２、２３、２４は対応オーディオビデオ再生装置パネル或いはコンピュータ上のキースイッチに割り当て可能であるほか、コンピュータ装置のキーボード上の特定キーに割り当て可能で、該特定キーはキーボードコントローラーのデコードの後、ＣＰＵにより認識される。
【００２２】
図５は本発明の第２実施例のシステム機能ブロック図である。この実施例中、その大部分の構成要件はいずれも図１の回路構成要件と同じであり、その差異は、装置選択キー検出インタフェース回路２０に受信ユニット２０ａが接続され、該受信ユニット２０ａがリモコンユニット２ａの発射する無線信号を受信可能であり、各インスタントキー（即ち装置選択キー２１、２２、２３、２４）を押圧した時、該リモコンユニット２ａが無線信号を発射し、並びに受信ユニット２０ａがそれを受信し、さらに装置選択キー検出インタフェース回路２０が受信した信号をバス１３０、第２バスブリッジ１３、第１バスブリッジ１２を通してＣＰＵ１１に伝送する。
【００２３】
図６及び図７に示されるのは本発明の実施例の制御フローチャートである。まず、使用者がコンピュータ装置１００の電源スイッチを正常にオンする時（ステップ１０１）、コンピュータ装置１００はハードディスク１７中の第１セクション１７１中の第１オペレーションシステム１７１ａを起動のオペレーションシステムとして選択し（ステップ１０２）、続いて標準のシステム基本起動プロセスを完成する。この標準のシステム基本起動プロセス中には基本入出力システムプログラム及びＰＯＳＴ（パワーオンセルフテスト）プログラムプロセスの実行、及び第１セクション１７１中の設定装置駆動プログラム１７１ｂ及びアプリケーションプログラム１７１ｃの実行が包含される。
【００２４】
任意の装置選択キー２１、２２、２３、２４が使用者に押圧操作された時（ステップ１０３）、コンピュータ装置１００は押圧された装置選択キーの状態を検出し、並びに第２セクション１７２中の第２オペレーションシステム１７２ａを起動のオペレーションシステムとして選択する（ステップ１０４）。
【００２５】
続いて、コンピュータ装置１００はハードディスク１７の第２セクション１７２中よりプログラム実行優先順序テーブル１７３をロードする（ステップ１０５）。このロードしたプログラム実行優先順序テーブル１７３はシステムメモリ１４中のランダムアクセス可能領域１４１中にロードされる。
【００２６】
コンピュータ装置１００が上述の起動プロセスを完成した後、コンピュータ装置１００は押圧操作された装置選択キーにより該装置選択キーに対応するマルチメディア再生装置３を探し、並びにがマルチメディア再生装置の操作を実行する。
【００２７】
使用者が第１の装置選択キー２１を押圧操作した時（ステップ１０６ａ）、コンピュータ装置１００はプログラム実行優先順序テーブル１７３中に予め設定された装置選択キーにより対応する装置選択キーコード及び対応するオーディオＣＤ読み取り装置３ａを探し出し、並びにハードディスク１７の第２セクション１７２中より最高優先順序の設定装置駆動プログラム及びアプリケーションプログラムをランダムアクセス可能領域１４１中にロードし並びに実行し（ステップ１０７ａ）、その後、さらにこのプログラム実行と同時に、後続の装置駆動プログラム及びアプリケーションプログラム優先順序により続いてロード及び実行する（ステップ１０８ａ）。例えば、その優先実行順序が（１）音響装置駆動プログラム１８１、（２）オーディオＣＤ装置駆動プログラム１８３、（３）オーディオＣＤ装置再生アプリケーションプログラム１９１とされる。こうしてオーディオＣＤ読み取り装置３ａ及び音響装置４を動作させて、オーディオＣＤ読み取り装置３ａが読み取った音楽データの再生開始を行える（ステップ１０９ａ）。
【００２８】
使用者が第２の装置選択キー２２を押圧する時（ステップ１０６ｂ）、コンピュータ装置１００はプログラム実行優先順序テーブル１７３に予め設定された装置選択キーにより対応する装置選択キーコード及び対応するデジタル音楽読み取り装置３ｂを探し出し、並びにハードディスク１７の第２セクション１７２中より最高優先順序の設定装置駆動プログラム及びアプリケーションプログラムをランダムアクセス可能領域１４１中にロードし並びに実行し（ステップ１０７ｂ）、その後、さらにこのプログラム実行と同時に、後続の装置駆動プログラム及びアプリケーションプログラム優先順序により続いてロード及び実行する（ステップ１０８ｂ）。例えば、その優先実行順序が（１）音響装置駆動プログラム１８１、（２）デジタル音楽装置駆動プログラム１８４、（３）デジタル音楽装置再生アプリケーションプログラム１９２とされる。こうしてデジタル音楽読み取り装置３ｂ及び音響装置４を動作させて、デジタル音楽読み取り装置３ｂが読み取ったデジタル音楽データの再生開始を行える（ステップ１０９ｂ）。
【００２９】
使用者が第３の装置選択キー２３を押圧する時（ステップ１０６ｃ）、コンピュータ装置１００はプログラム実行優先順序テーブル１７３に予め設定された装置選択キーにより対応する装置選択キーコード及び対応するオーディオビデオディスク読み取り装置３ｃを探し出し、並びにハードディスク１７の第２セクション１７２中より最高優先順序の設定装置駆動プログラム及びアプリケーションプログラムをランダムアクセス可能領域１４１中にロードし並びに実行し（ステップ１０７ｃ）、その後、さらにこのプログラム実行と同時に、後続の装置駆動プログラム及びアプリケーションプログラム優先順序により続いてロード及び実行する（ステップ１０８ｃ）。例えば、その優先実行順序が（１）音響装置駆動プログラム１８１、（２）オーディオビデオディスク読み取り装置駆動プログラム１８５、（３）オーディオビデオディスク再生アプリケーションプログラム１９３とされる。こうしてオーディオビデオディスク読み取り装置３ｃ、音響装置４及びディスプレイ１５を動作させることができ、オーディオビデオディスク読み取り装置３ｃが読み取ったデジタル画像及び音楽データの再生開始を行える（ステップ１０９ｃ）。
【００３０】
使用者が第４の装置選択キー２４を押圧する時（ステップ１０６ｄ）、コンピュータ装置１００はプログラム実行優先順序テーブル１７３に予め設定された装置選択キーにより対応する装置選択キーコード及び対応するテレビ信号受信装置３ｄを探し出し、並びにハードディスク１７の第２セクション１７２中より最高優先順序の設定装置駆動プログラム及びアプリケーションプログラムをランダムアクセス可能領域１４１中にロードし並びに実行し（ステップ１０７ｄ）、その後、さらにこのプログラム実行と同時に、後続の装置駆動プログラム及びアプリケーションプログラム優先順序により続いてロード及び実行する（ステップ１０８ｄ）。例えば、その優先実行順序が（１）音響装置駆動プログラム１８１、（２）ディスプレイ装置駆動プログラム１８２、（３）テレビ信号受信装置駆動プログラム１８６、（４）テレビ放送アプリケーションプログラム１９４とされる。こうしてテレビ信号受信装置３ｄ、音響装置４及びディスプレイ１５を動作させることができ、並びにテレビチューナー５を組み合わせてテレビ信号受信装置３ｄが受信したテレビ画像及び音声を放送開始できる（ステップ１０９ｄ）。
【００３１】
以上の実施例の説明は、本発明の好ましい実施例の説明に過ぎず、上述の実施例の説明に基づきなしうる数々の改良及び変化は、いずれも本発明の請求範囲に属するものとする。
【図面の簡単な説明】
【００３２】
【図１】本発明の第１実施例のシステム機能ブロック図である。
【図２】図１中の第２セクション中に保存された複数の装置駆動プログラム及びアプリケーションプログラムの内容表示図である。
【図３】図１中のマルチメディア再生装置の装置内容表示図である。
【図４】本発明のプログラム実行優先順序テーブルの内容表示図である。
【図５】本発明の第２実施例のシステム機能ブロック図である。
【図６】本発明の実施例制御フローチャートである。
【図７】本発明の実施例制御フローチャートである。
【符号の説明】
【００３３】
１００ コンピュータ装置
１１ ＣＰＵ
１２ 第１バスブリッジ
１３ 第２バスブリッジ
１３０ バス
１４ システムメモリ
１４１ ランダムアクセス可能領域
１５ ディスプレイ
１５０ ディスプレイインタフェース
１６ 基本入出力システムメモリ
１６１ 基本入出力システムプログラム
１６２ ＰＯＳＴ（パワーオンセルフテスト）プログラム
１７ ハードディスク
１７０ ハードディスクインタフェース
１７１ 第１セクション
１７１ａ 第１オペレーションシステム
１７１ｂ 装置駆動プログラム
１７１ｃ アプリケーションプログラム
１７２ 第２セクション
１７２ａ 第２オペレーションシステム
１７３ プログラム実行優先順序テーブル
１８ 装置駆動プログラム
１８１ 音響装置駆動プログラム
１８２ ディスプレイ装置駆動プログラム
１８３ オーディオＣＤ装置駆動プログラム
１８４ デジタル音楽装置駆動プログラム
１８５ オーディオビデオディスク読み取り装置駆動プログラム
１８６ テレビ信号受信装置駆動プログラム
１９ アプリケーションプログラム
１９１ オーディオＣＤ装置再生アプリケーションプログラム
１９２ デジタル音楽装置再生アプリケーションプログラム
１９３ オーディオビデオディスク再生アプリケーションプログラム
１９４ テレビ放送アプリケーションプログラム
２０ 装置選択キー検出インタフェース回路
２ 装置選択キーセット
２１、２２、２３、２４ 装置選択キー
２０ａ 受信ユニット
２ａ リモコンユニット
３ マルチメディア再生装置
３ａ オーディオＣＤ読み取り装置
３ｂ デジタル音楽読み取り装置
３ｃ オーディオビデオディスク読み取り装置
３ｄ テレビ信号受信装置
３０ａ オーディオＣＤインタフェース回路
３０ｂ デジタル音楽インタフェース回路
３０ｃ オーディオビデオディスクインタフェース回路
３０ｄ テレビインタフェース回路
４０ サウンドインタフェース回路
４ 音響装置
５ テレビチューナー
【図１】
0004673193.tif 000002
【図２】
0004673193.tif 000003
【図３】
0004673193.tif 000004
【図４】
0004673193.tif 000005
【図５】
0004673193.tif 000006
【図６】
0004673193.tif 000007
【図７】
0004673193.tif 000008